(57)【要約】【目的】デザインを技術的にサポートした新しいタイプの菓子等の包装セットおよびその組立方法を提供する【構成】包装セットは，籠型外容器１０，内容器２０および飾物３０を含む。籠型外容器１０の側面には，複数の右上り斜め線状体，左上り斜め線状体，横線状体が配置され，これらが交叉することにより籠状に構成されている。複数の線状体によって複数の開口１９が形成されている。内容器２０は，上面が開口し，側面と底面が水密にかつ連続して一体に形成されており，上記外容器にゆるく入る大きさを持つ。籠型外容器１０内に内容器２０を入れるに際して，籠型外容器１０と内容器２０との間にシート状の飾物３０が挟み込まれる。【選択図】  図１１
2005001672.tif 000002
【特許請求の範囲】
【請求項１】
上面が開口し，少なくとも側面が，複数の線状体を右上り斜め，左上り斜め，縦，横の少なくとも２方向に配置して交叉させて籠状に構成され，上記複数の線状体によって規定される複数の開口が形成されている籠型外容器，
上面が開口し，側面と底面が水密にかつ連続して一体に形成され，上記外容器にゆるく入る大きさの内容器，および
上記外容器と内容器との間に挟み込まれる飾物，
を含む菓子等の包装セット。
【請求項２】
上記外容器の上部に着脱自在な取手をさらに含む，請求項１に記載の菓子等の包装セット。
【請求項３】
上記取手の両端部にそれぞれ係合部が形成され，上記係合部が上記外容器の側面の開口に入り，上記線状体に係合するものである，請求項２に記載の菓子等の包装セット。
【請求項４】
上記取手がその両端部に少なくとも２つの枝を持ち，これらの枝に係合部が形成され，上記枝および係合部が上記外容器の側面の開口に入り，上記係合部が上記線状体に係合するものである，請求項２に記載の菓子等の包装セット。
【請求項５】
上記取手が取付けられる箇所に対応して，上記外容器と上記内容器との間に取手取付け用の空間を形成するように，上記内容器の側面にへこみが形成されている，請求項２から４のいずれか一項に記載の菓子等の包装セット。
【請求項６】
上記外容器の上部に，一または複数の取手が一体的に形成されている，請求項１に記載の菓子等の包装セット。
【請求項７】
上面が開口し，少なくとも側面が，複数の線状体を右上り斜め，左上り斜め，縦，横の少なくとも２方向に配置して交叉させて籠状に構成され，上記複数の線状体によって規定される複数の開口が形成されている籠型外容器，および
上面が開口し，側面と底面が水密にかつ連続して一体に形成され，上記外容器にゆるく入る大きさの内容器，
を含む菓子等の包装セット。
【請求項８】
上面が開口し，少なくとも側面が，複数の線状体を右上り斜め，左上り斜め，縦，横の少なくとも２方向に配置して交叉させて籠状に構成され，上記複数の線状体によって規定される複数の開口が形成されている籠型外容器，および
上面が開口し，側面と底面が水密にかつ連続して一体に形成され，上記外容器にゆるく入る大きさの内容器を含み，
上記内容器の側面に，少なくとも対向する２箇所においてへこみが形成されている，
菓子等の包装セット。
【請求項９】
上記外容器の上部に着脱自在な取手をさらに含み，
上記取手の両端部にそれぞれ係合部が形成され，
上記係合部が，上記内容器のへこみが形成されている部分に対応する箇所において上記外容器の側面の開口に入り，上記線状体に係合するものである，請求項８に記載の菓子等の包装セット。
【請求項１０】
上面が開口し，側面と底面が水密に連続して一体に形成され，側面の少なくとも対向する２箇所にへこみが形成されている内容器を含む，菓子等の包装セット。
【請求項１１】
籠型外容器と，内容器と，飾物とを用意し，上記籠型外容器は，上面が開口し，少なくとも側面が，複数の線状体を右上り斜め，左上り斜め，縦，横の少なくとも２方向に配置して交叉させて籠状に構成され，上記複数の線状体によって規定される複数の開口が形成されているものであり，
上記内容器は，上面が開口し，側面と底面が水密にかつ連続して一体に形成され，上記外容器にゆるく入る大きさのものであり，
上記外容器内に上記内容器を入れるに際して，上記外容器と上記内容器との間に飾物を挟み込むようにして組立てる，
菓子等の包装セットの組立方法。
【発明の詳細な説明】
【０００１】
【技術分野】
この発明は，典型的には，金玉糖，水羊羹，寒天，葛餅，ゼリー，ムース等の菓子等の包装セット（包装用容器）およびその組立方法に関する。
【０００２】
【従来技術とその問題点】
近年，ＰＥＴ（ポリエチレンテレフタレート樹脂）等の合成樹脂またはプラスチックスを材料として，上記のような菓子等の包装用容器が製造され，使用されている。菓子等はその味のみならず，目で楽しむ嗜好品的な要素を持つので，包装用容器もその美的外観（デザイン）上の観点から工夫がなされているが，技術的な観点からの工夫は少ない。食物である以上，衛生上の視点も必要である。
【０００３】
【発明の開示】
この発明は，デザインを技術的にサポートした新しいタイプの菓子等の包装セットおよびその組立方法を提供するものである。
【０００４】
この発明はまた，衛生上の観点も取入れた包装セットおよびその組立方法を提供するものである。特にこの発明は，木の葉等の自然物も利用でき，しかも衛生的な包装セットおよびその組立方法を提供するものである。
【０００５】
この発明による菓子等の包装セットは，上面が開口し，少なくとも側面（曲面の場合に周面と呼ばれるものを含む）が，複数の線状体を右上り斜め，左上り斜め，縦，横の少なくとも２方向に配置して交叉させて籠状に構成され，上記複数の線状体によって規定される複数の開口が形成されている籠型外容器，上面が開口し，側面と底面が水密にかつ連続して一体に形成され，上記外容器にゆるく入る大きさの内容器（トレー），および上記外容器と内容器との間に挟み込まれる飾物を含むものである。
【０００６】
この発明による菓子等の包装セットの組立方法は，籠型外容器と，内容器（トレー）と，飾物とを用意する。上記籠型外容器は，上面が開口し，少なくとも側面（周面を含む）が，複数の線状体を右上り斜め，左上り斜め，縦，横の少なくとも２方向に配置して交叉させて籠状に構成され，上記複数の線状体によって規定される複数の開口が形成されているものである。上記内容器は，上面が開口し，側面と底面が水密にかつ連続して一体に形成され，上記外容器にゆるく入る大きさのものである。そして，上記外容器内に上記内容器を入れるに際して，上記外容器と上記内容器との間に上記飾物を挟み込むようにして組立てる。
【０００７】
籠型外容器は，竹，つる，柳，針金などの線状体を用いて編んでつくることもできるが，大量生産の観点からは合成樹脂，プラスチックスを材料として射出成形等の樹脂成形技術を用いて製造することが好ましい。籠型外容器は所望の色に着色することができる。
【０００８】
籠型外容器の少なくともその側面（籠型外容器の全周面にわたる側面またはその一部）（湾曲している場合に周面といわれることもあるが，このような周面を含む概念である）には上記の通り複数の開口が形成されているので，金玉糖，水羊羹，寒天，葛餅，ゼリー，ムース等の流動物を収容するには適さない。この発明では籠型外容器内に内容器が収められるので，この内容器内に上記のような流動物を収容することができる。
【０００９】
内容器はその存在を目だたせず，籠型外容器の存在を際立たせ，籠状の容器によって流動物が包装されているという意外性を演出できる。内容器は好ましくはＰＥＴ等の合成樹脂，プラスチックス等により一体成形される。内容器は，好ましくは，透明（無色，有色を問わず）または半透明である。内容器が籠型外容器にゆるく入る大きさとは，力をこめて内容器を外容器内に押し込めなくても入るという意味であり，内容器が外容器内に丁度入る大きさであることも含む。より分析的にいえば，内容器が外容器に入れられたときに，内容器の側面が外容器の側面の内側に接して，またはわずかの間隙をあけて沿い，内容器の底面が外容器の底面に（飾物が介装されたときには飾物を介して）接する状態となる。
【００１０】
この発明によると外容器と内容器の間に飾物が挟み込まれる。飾物には，薄い紙，布，合成樹脂製のシート（敷物の類）（透明でも，半透明でも不透明でもよし，模様があっても，なくてもよい），木の葉等の自然物またはその人工的模造品等がある。
【００１１】
この飾物の存在によって，綺麗な感じ，清涼感，その他の食欲をそそる外観を与え，所望の演出効果が得られる。飾物は内容器と外容器との間に挟まれているから，飾物がたとえ木の葉のような自然物であっても，内容器内の菓子等には悪影響を与えず，衛生的である。
【００１２】
好ましい実施形態では，籠型外容器は上縁部を備える。上縁部は好ましくは外容器の全周囲にわたって連続している。内容器の上縁は外側に向って湾曲し，外方に若干突出して突出縁をつくる。望ましくは，内容器が外容器内に入れられた状態において（飾物が挟み込まれた状態においても），内容器の突出縁は外容器の上縁部の上端面よりも若干低く位置し，内容器の突出縁が外容器の上縁部の内側面に軽く接する（当接する）。これによって，内容器が外容器内で殆ど動かない状態に保たれ，内容器が安定する。
【００１３】
一実施態様では，上記外容器の上端に，一または複数の取手が一体的に形成される，または，上記外容器の上部に着脱自在な取手が設けられる。
【００１４】
この取手によって容器全体の持ち運び（移動）が容易となり，また，菓子等を食べるときに容器全体を保持することができる。着脱自在の取手の場合には，菓子等を食べるときに取手が邪魔であればこれを取外すことができる。
【００１５】
好ましい一実施態様では，上記取手の両端部にそれぞれ係合部が形成され，上記係合部が上記外容器の側面の開口に入り，上記線状体に係合する。
【００１６】
取手を籠型外容器の側面の開口を利用して簡単な構造で着脱自在とすることができる。
【００１７】
さらに好ましい実施態様では，上記取手は，その両端部に少なくとも２つの枝を持ち，これらの枝に係合部が形成され，上記枝および係合部が上記外容器の側面の開口に入り，上記係合部が上記線状体に係合する。
【００１８】
取手を籠型外容器の側面の開口を利用して簡単な構造で着脱自在とすることができる。また，取手の一端部について少なくとも２箇所で係合するので，取手が安定する。
【００１９】
上述した取手が着脱自在の構造では，取手の係合部が上記外容器の内側に入る。取手の係合部を避けるようにするために，好ましい実施態様では，上記取手が取付けられる箇所に対応して，上記外容器と上記内容器との間に取手取付け用の空間を形成するように，上記内容器の側面にへこみが形成される。ここで，へこみとは，内容器の側面が内側に突出することにより外からみてへこんでいる形態のみならず，内容器の側面が外方に膨出している形態のものでは，内容器の側面が平坦であるもの，および膨出の程度が他の部分よりも小さいものも含む概念であると理解されたい。このことは，以下で説明する内容器のへこみについても同じようにあてはまる。
【００２０】
この発明はさらに他の形態の菓子等の包装セットを提供している。この菓子等の包装セットは，上面が開口し，少なくとも側面が，複数の線状体を右上り斜め，左上り斜め，縦，横の少なくとも２方向に配置して交叉させて籠状に構成され，上記複数の線状体によって規定される複数の開口が形成されている籠型外容器，および上面が開口し，側面と底面が水密にかつ連続して一体に形成され，上記外容器にゆるく入る大きさの内容器を含むものである。
【００２１】
籠型外容器，内容器およびこれらの関係について上述した内容は，この形態の菓子等の包装セットにもあてはまる。また，菓子等の包装用容器は内容器を籠型外容器内に入れることにより組立てられる。必要に応じて，内容器と籠型外容器との間に飾物が挟み込まれる。飾物は別途用意すればよい。
【００２２】
この発明の菓子等の包装セットにおいても，内容器の存在をあまり目だたせずに，籠型外容器の存在を際立たせ，籠状の容器によって流動物が包装されているという意外性を演出することができる。
【００２３】
籠型外容器には取手を固定的に，または着脱自在に設けることができる。内容器の側面に，少なくとも対向する２箇所においてへこみを形成しておいてもよい。
【００２４】
この発明によるさらに他の形態の菓子等の包装セットは，上面が開口し，少なくとも側面が，複数の線状体を右上り斜め，左上り斜め，縦，横の少なくとも２方向に配置して交叉させて籠状に構成され，上記複数の線状体によって規定される複数の開口が形成されている籠型外容器，および上面が開口し，側面と底面が水密にかつ連続して一体に形成され，上記外容器にゆるく入る大きさの内容器を含み，上記内容器の側面に少なくとも対向する２箇所においてへこみが形成されているものである。
【００２５】
一実施態様においては，菓子等の包装セットは，上記外容器の上部に着脱自在な取手をさらに含み，上記取手の両端部にそれぞれ係合部が形成され，上記係合部が，上記内容器のへこみが形成されている部分に対応する箇所において，上記外容器の側面の開口に入り上記線状体に係合するものである。
【００２６】
この発明はさらに内容器を含む菓子等の包装セットも提供している。この包装セットは，上面が開口し，側面と底面が水密にかつ連続して一体に形成され，側面の少なくとも対向する２箇所にへこみが形成されている内容器を含むものである。
【００２７】
【実施例】
図１から図１０は，平面からみてほぼ楕円形状の籠型外容器の実施例を示している。
【００２８】
この籠型外容器１０は平面からみてほぼ楕円形状（長手方向の２つの辺はその中央部において直線状の部分を含み，これら２つの直線状部分が半円形状の辺によりつながっている）であり，正面または側面からみると，下部にいくほど幅が少しずつ狭くなっている。籠型外容器１０の上面はそのすべてが開口している。
【００２９】
籠型外容器１０は，主に，上縁線状体（上縁部）１１，中間の横線状体１２，下部の横線状体１３，多数の右（左）上り斜め線状体１４および多数の左（右）上り斜め線状体１５から構成されている。籠型外容器１０の側面（周面）において，斜め線状体１４と１５は互いに交叉し，それらの上端は上縁線状体１１と結合している。斜め線状体１４と１５の交叉部分に横線状体１２，１３がそれぞれ配置され，結合している。籠型外容器１０の底面においても，斜め線状体１４と１５が互いに交叉している。底面にはまた板状部１６が設けられている。
【００３０】
これらの線状体１１〜１５および板状部１６を含む籠型外容器１０は，合成樹脂により，たとえば射出成形によって一体的に形成されている。底面の板状部１６は射出成形後に籠型外容器１０を金型から取出すために吸着（吸引）ロボットにより籠型外容器１０を吸着するためのものである。したがって，板状部１６は吸着ロボットが吸着しやすい形状であれば良い。成形後の籠型外容器１０を吸着せずに取出すことができるのであれば，板状部１６は必ずしも必要ではない。籠型外容器１０は所望の色に着色することができる。
【００３１】
籠型外容器１０の上述した線状体１１〜１５が互いに交叉することによって多数の開口１９が形成（規定）され，籠のような外観を呈している。
【００３２】
図１１は，上述した籠型外容器１０を含む菓子等の包装セットを示すものである（または，菓子等の包装用容器の分解斜視図である）。
【００３３】
菓子等の包装セットは，上述した籠型外容器１０，内容器２０および飾物３０を含む。
【００３４】
内容器２０は，籠型外容器１０内にゆるく収まる（丁度収まる状態も含む）ような形状と大きさを持つ。すなわち，内容器２０も平面からみてほぼ楕円形状であり，正面または側面からみて下部にいくほど幅が狭くなるように若干テーパ状に形成されている。内容器２０は，側面（周面）２２と底面２３を有し，これらが水密にかつ連続して一体的に，たとえば射出成形により形成されている。内容器２０の上面はそのすべてが開口している。内容器２０の側面の上縁は丸みを帯びて外方に曲げられている。（この外方に突出している部分を突出縁２１という）。内容器２０は無色または着色透明でも，半透明でも，不透明でもよい。
【００３５】
飾物３０は，薄い紙，布または合成樹脂製のシートである。このシート３０には模様が描かれている。飾物３０は透明でも半透明でも不透明でもよい。飾物３０に模様がなくてもよい。飾物としては，図１５に示すように木の葉（自然物）３０Ａでもよいし，図１８に示すように木の葉（自然物）の模造品３０Ｂでもよい。また，シート（図１８に一点鎖線で示す）に木の葉の模様を印刷したものでもよい。
【００３６】
図１２は図１１に示す包装セットを組立てた状態を示している。包装セットの組立ては，籠型外容器１０内に内容器２０を入れるに際して，籠型外容器１０と内容器２０との間に飾物３０を挟み込むようにする。飾物３０の一部は，内，外容器２０，１０の上縁から外に出ている。
【００３７】
このようにして組立てられたものは菓子等の包装用容器として用いられる。たとえば，内容器２０内に金玉糖，水羊羹，寒天，葛餅，ゼリー，ムース等の流動物（菓子等）が収容される。内容器２０内にこれらの菓子等を入れた後に，内容器２０を飾物３０を間に挟むようにして籠型外容器１０内に入れ，組立てを行なってもよいし，この方が実際的である。
【００３８】
上述の流動的な菓子等は多数の開口１９を有する籠型外容器１０に直接的に入れることはできない。内容器２０内に流動性のある菓子等を入れ，これを籠型外容器１０に収めているので，内容器２０の存在を目だたせず，籠型外容器１０の存在を際立たせ，籠型外容器１０によって流動物が包装されているという意外性を演出できる。また，内容器２０を透明（無色，有色を問わず）または半透明とすることにより内容器２０内に入れられた流動状の菓子等の色を，籠型外容器１０の側面の開口１９を通して目で楽しむことができる。さらに飾物３０の存在によって，綺麗な感じ，清涼感，その他の食欲をそそる外観を与え，所望の演出効果が得られる。飾物３０は内容器２０と籠型外容器１０との間に挟まれているから，飾物３０がたとえ木の葉のような自然物であっても，内容器２０内の菓子等には悪影響を与えず，衛生的である。
【００３９】
菓子等の包装セットとして，籠型外容器１０（または後述する５０）と内容器２０（または後述する２０Ａ，６０）を含むものを提供することができる。この場合には飾物は別途用意すればよい。また，菓子等の包装セットとしては内容器２０（または後述する２０Ａ，６０）を含むものを提供することができる。
【００４０】
図１３および図１４は取手４０の一例を示している。取手４０は，薄い可撓性のある棒状体（または幅のある線状体もしくは長さの長い板状体）４１であり，その両端部が二股に分かれている（この部分を枝４２という）。枝４２の先端部には係合突起（係合部）（棒状体４１の面から垂直に突出している）４３が一体的に形成されている。取手４０もまた合成樹脂により一体成形される。
【００４１】
図１５は上述した籠型外容器１０および取手４０，ならびに内容器２０Ａおよび飾物３０Ａを含む菓子等の包装セットを示している（または菓子等の包装用容器の分解斜視図である）。
【００４２】
内容器２０Ａの詳細は図１９から図２２に示されている。基本的な形態は内容器２０と同じであるが，内容器２０と異なる点は，内容器の両側部（両端部）（側面２２の丸みがつけられている部分）にへこみ２４が形成されている点である。このへこみ２４は，内容器２０Ａの側面２２の丸みがつけられて膨出している（横断面半円形状の）部分を平坦に形成することによりつくられる。
【００４３】
飾物３０Ａは木の葉またはその人工的模造品である。
【００４４】
図１６は図１５に示す菓子等の包装セットを組立てた状態を示している。
【００４５】
籠型外容器１０内に内容器２０Ａをそれらの間に飾物３０Ａを挟み込むようにして入れることにより，包装セットが組立てられ，菓子等の包装用容器が完成する。また，図１７に拡大して示すように，取手４０の枝４２および係合突起４３が籠型外容器１０の上縁線状体１１のすぐ下の開口１９に外から入れられ，突起４３が斜め線状体１４，１５のいずれか一方または両方に係合することにより，取手４０が籠型外容器１０に取付けられる。取手４０は全体的に湾曲し，両端部において籠型外容器１０の両端部分に取付けられる。
【００４６】
このように，取手４０は係合突起４３を籠型外容器１０の開口１９に入れて線状体１４，１５に係合されるだけであるから，簡単な構造で着脱自在である。この実施例においては，取手４０の端部が二股に分れ，２つの係合突起４３が設けられているから，取手が安定する。取手の端部を二股に分けずに，一つの係合部を設けるようにしてもよい。
【００４７】
内容器２０Ａのへこみ２４は，取手４０の枝４２および係合突起４３が籠型外容器１０内で占める空間を確保するためのものである。
【００４８】
上述した流動性を持つ菓子等を内容器２０Ａ内に入れた後に内容器２０Ａを飾物３０Ａを挟むようにして籠型外容器１０内に入れ，取手４０を取付けても良いのはいうまでもない。菓子等を食べるときには取手４０を取外してもよい。必要に応じて，内容器２０，２０Ａの上面には，内容物である菓子等を保護するために薄いシートを被せるようにしてもよいのはいうまでもない。
【００４９】
図２３から図３２は，上述した籠型外容器１０と内容器２０とからなる菓子等の包装用容器を示している。この包装用容器において籠型外容器１０内に内容器２０が収められている。
【００５０】
図２３から図３２を参照して籠型外容器１０と内容器２０との関係を示しておく。
【００５１】
籠型外容器１０は上縁線状体（上縁部）１１を備えている。上縁線状体１１は籠型外容器１０の全周囲にわたって連続している。内容器２０の上縁は外側に向って湾曲し，外方に若干突出して突出縁２１をつくっている。内容器２０が籠型外容器１０内に入れられた状態において（図１２，図１６に示すように飾物３０，３０Ａが挟み込まれた状態においても），内容器２０の突出縁２１は籠型外容器１０の上縁線状体１１の上端面よりも若干低く位置し，内容器２０の突出縁２１が籠型外容器１０の上縁線状体１１の内側面に軽く接する（当接する）（特に，図２７から図３０を参照）。これによって，内容器２０が籠型外容器１０内で殆ど動かない状態に保たれ，内容器２０が安定する。内容器２０の側面２２は籠型外容器１０の側面（籠状側面）にわずかの間隙をあけて沿い，底面２３は籠型外容器１０の底面に接する（飾物がある場合には飾物を介して）。
【００５２】
図３３から図３７は，上述した籠型外容器１０および取手４０を含む菓子等の包装用容器を示している。この包装用容器において取手４０の枝４２および係合突起４３が籠型外容器１０の上縁線状体１１のすぐ下の開口１９に外から入れられ，係合突起４３が斜め線状体１４，１５のいずれか一方または両方に係合することにより，取手４０が籠型外容器１０に取付けられている。籠型外容器１０それ自体および取手４０それ自体の構成は上述した通りである。
【００５３】
図３８および図３９は，籠型外容器１０および取手４０ならびに内容器２０Ａを含む菓子等の包装用容器を示している。この包装用容器においては，籠型外容器１０内に，へこみ２４が形成された内容器２０Ａが収められている。内容器２０Ａのへこみ２４の部分（へこみ２４の存在によって形成された外容器１０と内容器２０Ａとの間の空間）に，取手４０の枝４２および係合突起４３が位置している。籠型外容器１０と内容器２０Ａについても，内容器２０Ａの突出縁２１は籠型外容器１０の上縁線状体１１の上端面よりも若干低く位置し，内容器２０Ａの突出縁２１が籠型外容器１０の上縁線状体１１の内側面に軽く接する。内容器２０Ａは籠型外容器１０内で殆ど動かない状態に保れる。籠型外容器１０それ自体，内容器２０Ａそれ自体および取手４０それ自体の構成については上述した通りである。
【００５４】
図４０から図４６は，平面からみてほぼ八角形状の籠型外容器の実施例を示している。
【００５５】
籠型外容器５０は平面からみてほぼ八角形状であり，正面または側面からみると，下部にいくほど幅が少しずつ狭くなっている。籠型外容器５０の上面はそのすべてが開口している。
【００５６】
籠型外容器５０は，主に，上縁線状体（上縁部）５１，中間の横線状体５２，下部の横線状体５３，多数の右（左）上り斜め線状体５４，多数の左（右）上り斜め線状体５５および２つの取手５７から構成されている。籠型外容器５０の側面において，斜め線状体５４と５５は互いに交叉し，それらの上端は上縁線状体５１と結合している。斜め線状体５４と５５の交叉部分に横線状体５２，５３がそれぞれ配置されかつ結合している。籠型外容器５０の底面においても，斜め線状体５４と５５が互いに交叉している。底面にはまた板状部５６が設けられている。取手５７は籠型外容器５０の上縁線状体５１に，対向する２箇所において，やや外方に向って上方にのびるように取付けられている。上述した楕円形状の籠型外容器１０と同様に，線状体５１〜５５，板状部５６および取手５７は，合成樹脂により，たとえば射出成形によって一体的に形成されている。底面の板状部５６は射出成形後に籠型外容器５０を金型から取出すために吸着（吸引）ロボットにより籠型外容器５０を吸着するためのものであり，上述した通り任意の形状とすることができ，場合によってはなくてもよい。
【００５７】
籠型外容器５０においても，上述した線状体５１〜５５が互いに交叉することによって多数の開口５９が形成（規定）され，籠のような外観を呈している。
【００５８】
籠型外容器５０の対向する２箇所にそれぞれ設けられた取手５７は，上縁線状体５１の一辺の一端から斜め上方に立ち上がり，上縁線状体５１と水平に延び，さらに上縁線状体５１の一辺の他端向けて斜め下方に立ち下がっている。取手５７の両端は上縁線状体５１の側面に一体的に形成されている。取手５７と上縁線状体（上縁部）５１とによって形成（規定）される空間に外から指を入れることにより，籠型外容器５０を持上げたり，移動させたりすることができる。
【００５９】
図４７は，籠型外容器５０を含む菓子等の包装セットを示すものである（または菓子等の包装用容器の分解斜視図である）。
【００６０】
この菓子等の包装セットは，上述した籠型外容器５０，内容器６０および飾物７０を含む。
【００６１】
内容器６０は，籠型外容器５０内にゆるく収まる（上述のように丁度収まることを含む）ような形状と大きさを持つ。すなわち，内容器６０も平面からみてほぼ八角形状であり，正面または側面からみて下部にいくほど幅が狭くなるように若干テーパ状に形成されている。内容器６０は，８つの側面６２と八角形状の底面６３を有し，これらが水密にかつ連続して一体的に，たとえば射出成形により形成されている。内容器６０の上面はそのすべてが開口している。内容器６０の側面の上縁は丸みを帯びて外側方に曲げられている。（この外側方に突出している部分を突出縁６１という）。内容器６０は無色または着色透明でも，半透明でも，不透明でもよい。
【００６２】
飾物７０は，上述した飾物３０（図１１参照）と同様に，薄い紙，布または合成樹脂製のシートである。この飾物７０には模様が描かれている。飾物７０は透明でも半透明でも不透明でもよい。もちろん，飾物７０の形状は，四角形（図４７）に限られることななく，円形，楕円形，八角形，その他の形状を有してもよい。飾物７０に模様がなくてもよい。飾物としては，木の葉（自然物）３０Ａ（図１５）でもよいし，木の葉（自然物）の模造品３０Ｂ（図１８）でもよい。また，シート（図１８に一点鎖線で示す）に木の葉の模様を印刷したものでもよい。
【００６３】
図４８は図４７に示す包装セットを組立てた状態を示している。
【００６４】
籠型外容器５０内に内容器６０をそれらの間に飾物７０を挟み込むようにして入れることにより，包装セットが組立てられ，菓子等の包装用容器が完成する。飾物７０の一部は，内，外容器６０，５０の上縁から外に出ている。
【００６５】
このようにして組立てられたものは菓子等の包装用容器として用いられる。たとえば，内容器６０内に，金玉糖，水羊羹，寒天，葛餅，ゼリー，ムース等の流動物（菓子等）が収容される。内容器６０内にこれらの菓子等を収容した後に，内容器６０を飾物７０とともに外容器５０内に入れることにより組立てることが好ましい。
【００６６】
内容器６０内に流動性のある菓子等を入れ，これを籠状外容器５０に収めているので，内容器６０の存在を目だたせず，籠型外容器５０の存在を際立たせ，籠型外容器５０によって流動物が包装されているという意外性を演出できる。また，内容器６０を透明（無色，有色を問わず）または半透明とすることにより内容器６０内に入れられた流動状の菓子等の色を，籠型外容器５０の側面の開口５９を通して目で楽しむことができる。さらに飾物７０の存在によって，綺麗な感じ，清涼感，その他の食欲をそそる外観を与え，所望の演出効果が得られる。飾物７０は内容器６０と籠型外容器５０との間に挟まれているから，飾物７０がたとえ木の葉のような自然物であっても，内容器６０内の菓子等には悪影響を与えず，衛生的である。
【００６７】
図４９から図５５は，上述した籠型外容器５０と内容器６０とからなる菓子等の包装用容器を示している。この包装用容器において籠型外容器５０内に内容器６０が収められている。
【００６８】
籠型外容器５０は上縁線状体５１を備えている。上縁線状体５１は籠型外容器５０の全周囲にわたって連続している。内容器６０の上縁は外側に向って湾曲し，外方に若干突出して突出縁６１をつくっている。内容器６０が籠型外容器５０内に入れられた状態において（図４８に示すように飾物７０が挟み込まれた状態においても），内容器６０の突出縁６１は籠型外容器５０の上縁線状体５１の上縁面よりも若干低く位置し，内容器６０の突出縁６１が籠型外容器５０の上縁線状体５１の内側面に軽く接する（当接する）。これによって，内容器６０が籠型外容器５０内で殆ど動かない状態に保たれ，内容器６０が安定する。籠型外容器５０それ自体および内容器６０それ自体の構成は上述した通りであり，籠型外容器５０と内容器６０との関係は，籠型外容器１０と内容器２０，２０Ａとの関係について上述したものと同じである。
【図面の簡単な説明】
【図１】平面からみて楕円形状の籠型外容器の正面図であり，背面図は正面図と同一に現れる。
【図２】平面からみて楕円形状の籠型外容器の平面図である。
【図３】平面からみて楕円形状の籠型外容器の右側面図であり，左側面図は右側面図と同一に現れる。
【図４】平面からみて楕円形状の籠型外容器の底面図である。
【図５】図１のＶ−Ｖ線に沿う断面端面図である。
【図６】図１のＶＩ−ＶＩ線に沿う断面端面図である。
【図７】図３のＶＩＩ−ＶＩＩ線に沿う断面端面図である。
【図８】図３のＶＩＩＩ−ＶＩＩＩ線に沿う断面端面図である。
【図９】図１のＩＸ−ＩＸ線に沿う断面端面図である。
【図１０】平面からみて楕円形状の籠型外容器の斜視図である。
【図１１】平面からみて楕円形状の籠型外容器と，内容器と，飾物を含む包装セットを示す斜視図である。
【図１２】図１１に示す包装セットを組立てた包装用容器の斜視図である。
【図１３】取手の平面図である。
【図１４】取手の正面図であり，背面図は正面図と同一に現れる。
【図１５】平面からみて楕円形状の籠型外容器と，取手と，内容器と，飾物を含む菓子等の包装セットを示す斜視図である。
【図１６】図１５に示す包装セットを組立てた包装用容器の斜視図である。
【図１７】籠型外容器と取手との係合部分の拡大斜視図である。
【図１８】木の葉の模様が印刷されたシートを示す。
【図１９】へこみを有する内容器の平面図である。
【図２０】へこみを有する内容器の正面図であり，背面図は正面図と同一に現れる。
【図２１】へこみを有する内容器の底面図である。
【図２２】へこみを有する内容器の右側面図であり，左側面図は右側面図と同一に現れる。
【図２３】平面からみて楕円形状の籠型外容器と内容器とからなる包装用容器の正面図であり，背面図は正面図と同一に現れる。
【図２４】平面からみて楕円形状の籠型外容器と内容器とからなる包装用容器の平面図である。
【図２５】平面からみて楕円形状の籠型外容器と内容器とからなる包装用容器の右側面図であり，左側面図は右側面図と同一に現れる。
【図２６】平面からみて楕円形状の籠型外容器と内容器とからなる包装用容器の底面図である。
【図２７】図２３のＸＸＶＩＩ−ＸＸＶＩＩ線に沿う断面端面図である。
【図２８】図２３のＸＸＶＩＩＩ−ＸＸＶＩＩＩ線に沿う断面端面図である。
【図２９】図２５のＸＸＩＸ−ＸＸＩＸ線に沿う断面端面図である。
【図３０】図２５のＸＸＸ−ＸＸＸ線に沿う断面端面図である。
【図３１】図２３のＸＸＸＩ−ＸＸＸＩ線に沿う断面端面図である。
【図３２】平面からみて楕円形状の籠型外容器と内容器とからなる包装用容器の斜視図である。
【図３３】平面からみて楕円形状の籠型外容器および取手を含む包装用容器の正面図であり，背面図は正面図と同一に現れる。
【図３４】平面からみて楕円形状の籠型外容器および取手を含む包装用容器の平面図である。
【図３５】平面からみて楕円形状の籠型外容器および取手を含む包装用容器の右側面図であり，左側面図は右側面図と同一に現れる。
【図３６】平面からみて楕円形状の籠型外容器および取手を含む包装用容器の底面図である。
【図３７】平面からみて楕円形状の籠型外容器および取手を含む包装用容器の斜視図である。
【図３８】平面からみて楕円形状の籠型外容器および取手ならびにへこみを有する内容器を含む包装用容器の平面図である。
【図３９】平面からみて楕円形状の籠型外容器および取手ならびにへこみを有する内容器を含む包装用容器の底面図である。
【図４０】平面からみて八角形状の籠型外容器の正面図であり，背面図は正面図と同一に現れる。
【図４１】平面からみて八角形状の籠型外容器の平面図である。
【図４２】平面からみて八角形状の籠型外容器の右側面図であり，左側面図は右側面図と同一に現れる。
【図４３】平面からみて八角形状の籠型外容器の底面図である。
【図４４】図４０のＸＬＩＶ−ＸＬＩＶ線に沿う断面端面図である。
【図４５】図４０のＸＬＶ−ＸＬＶ線に沿う断面端面図である。
【図４６】平面からみて八角形状の籠型外容器の斜視図である。
【図４７】平面からみて楕円形状の籠型外容器と，内容器と，飾物を含む包装セットを示す斜視図である。
【図４８】図４７に示す包装セットを組立てた包装用容器の斜視図である。
【図４９】平面からみて八角形状の籠型外容器と内容器とからなる包装用容器の正面図であり，背面図は正面図と同一に現れる。
【図５０】平面からみて八角形状の籠型外容器と内容器とからなる包装用容器の平面図である。
【図５１】平面からみて八角形状の籠型外容器と内容器とからなる包装用容器の右側面図であり，左側面図は右側面図と同一に現れる。
【図５２】平面からみて八角形状の籠型外容器と内容器とからなる包装用容器の底面図である。
【図５３】図４９のＬＩＩＩ−ＬＩＩＩ線に沿う断面端面図である。
【図５４】図４９のＬＩＶ−ＬＩＶ線に沿う断面端面図である。
【図５５】平面からみて八角形状の籠型外容器および内容器とからなる包装用容器の斜視図である。
【符号の説明】
１０，５０  籠型外容器
１１，５１  上縁線状体
１２，１３，５２，５３  横線状体
１４，１５，５４，５５  斜め線状体
１９，５９  開口
２０，２０Ａ，６０  内容器
２４  へこみ
３０，３０Ａ，３０Ｂ，７０  飾物
４０，５７  取手
４２  枝
４３  係合突起
【図１】
2005001672.tif 000003
【図２】
2005001672.tif 000004
【図３】
2005001672.tif 000005
【図４】
2005001672.tif 000006
【図５】
2005001672.tif 000007
【図６】
2005001672.tif 000008
【図７】
2005001672.tif 000009
【図８】
2005001672.tif 000010
【図９】
2005001672.tif 000011
【図１０】
2005001672.tif 000012
【図１１】
2005001672.tif 000013
【図１２】
2005001672.tif 000014
【図１３】
2005001672.tif 000015
【図１４】
2005001672.tif 000016
【図１５】
2005001672.tif 000017
【図１６】
2005001672.tif 000018
【図１７】
2005001672.tif 000019
【図１８】
2005001672.tif 000020
【図１９】
2005001672.tif 000021
【図２０】
2005001672.tif 000022
【図２１】
2005001672.tif 000023
【図２２】
2005001672.tif 000024
【図２３】
2005001672.tif 000025
【図２４】
2005001672.tif 000026
【図２５】
2005001672.tif 000027
【図２６】
2005001672.tif 000028
【図２７】
2005001672.tif 000029
【図２８】
2005001672.tif 000030
【図２９】
2005001672.tif 000031
【図３０】
2005001672.tif 000032
【図３１】
2005001672.tif 000033
【図３２】
2005001672.tif 000034
【図３３】
2005001672.tif 000035
【図３４】
2005001672.tif 000036
【図３５】
2005001672.tif 000037
【図３６】
2005001672.tif 000038
【図３７】
2005001672.tif 000039
【図３８】
2005001672.tif 000040
【図３９】
2005001672.tif 000041
【図４０】
2005001672.tif 000042
【図４１】
2005001672.tif 000043
【図４２】
2005001672.tif 000044
【図４３】
2005001672.tif 000045
【図４４】
2005001672.tif 000046
【図４５】
2005001672.tif 000047
【図４６】
2005001672.tif 000048
【図４７】
2005001672.tif 000049
【図４８】
2005001672.tif 000050
【図４９】
2005001672.tif 000051
【図５０】
2005001672.tif 000052
【図５１】
2005001672.tif 000053
【図５２】
2005001672.tif 000054
【図５３】
2005001672.tif 000055
【図５４】
2005001672.tif 000056
【図５５】
2005001672.tif 000057